(57)【要約】【課題】上下方向に相互に間隔を開けて複数の段を有する収納スタンドにおいて、各段に物品を置きやすく、かつ、各段に植物を置いた場合に、直上の段に日光が遮られることのない収納スタンドを提供する。【解決手段】上下方向に相互に間隔を開けて複数の段が配置されている収納スタンドにおいて、複数の段（１２１、１２２、１２３）の各々は、上方から見て、相互に重なり合わないように配置されている。【選択図】    図１
0003116242.tif 000002
【実用新案登録請求の範囲】
【請求項１】
上下方向に相互に間隔を開けて複数の段が配置されている収納スタンドにおいて、
前記複数の段の各々は、上方から見て、相互に重なり合わないように配置されていることを特徴とする収納スタンド。
【請求項２】
前記複数の段のうちの最下段の下方に配置された収納ボックスと、前記収納ボックスに対して引き出しとして機能する収納引き出しと、をさらに備えることを特徴とする請求項１に記載の収納スタンド。
【考案の詳細な説明】
【技術分野】
【０００１】
本考案は、植木鉢その他の装飾品を載置するための複数の段を有する収納スタンドに関する。
【背景技術】
【０００２】
従来の収納スタンドは、上下方向に相互に間隔を開けて複数の段（例えば、３段または４段）を有するように設計されているものが多い。
【０００３】
従来の収納スタンドにおける複数の段は、上方から見た場合、相互に重なり合うように配置されている。このため、収納スタンドが占有するスペースを小さくすることができるという利点を有している。
【考案の開示】
【考案が解決しようとする課題】
【０００４】
しかしながら、複数の段が、上方から見た場合に、相互に重なり合っているため、次のような欠点を生じていた。
【０００５】
第一に、複数の段の各々に植木鉢その他の物品を載置する場合、最上段以外の段については、直上の段が邪魔になって、段上に物品を置きにくいという問題があった。
【０００６】
第二に、複数の段の各々に植木鉢（すなわち、植物）を置く場合、最上段以外の段については、直上の段によって日光が遮られ、日光が当たりにくく、植物の育成に必ずしも良好ではない環境となっていた。
【０００７】
本考案はこのような従来の収納スタンドの問題点に鑑みてなされたものであり、上下方向に相互に間隔を開けて複数の段を有する収納スタンドにおいて、各段に物品を置きやすく、かつ、各段に植物を置いた場合に、直上の段に日光が遮られることのない収納スタンドを提供することを目的とする。
【課題を解決するための手段】
【０００８】
以下に、「考案の実施の形態」において使用される参照符号を用いて、上述の課題を解決するための手段を説明する。これらの参照符号は、「実用新案登録請求の範囲」の記載と「考案の実施の形態」の記載との間の対応関係を明らかにするためにのみ付加されたものであり、「実用新案登録請求の範囲」に記載されている考案の技術的範囲の解釈に用いるべきものではない。
【０００９】
上記の目的を達成するため、本考案は、上下方向に相互に間隔を開けて複数の段が配置されている収納スタンドにおいて、前記複数の段（１２１、１２２、１２３）の各々は、上方から見て、相互に重なり合わないように配置されていることを特徴とする収納スタンド（１００、２００）を提供する。
【００１０】
前記複数の段（１２１、１２２、１２３）のうちの最下段（１２３）の下方に配置された収納ボックス（２１０）と、前記収納ボックス（２１０）に対して引き出しとして機能する収納引き出し（２１１）と、をさらに備えることが好ましい。
【考案の効果】
【００１１】
本考案に係る収納スタンドにおいては、複数の段の各々は、上方から見て、相互に重なり合わないように配置されている。
【００１２】
このため、第一に、各段上に植木鉢その他の物品を置く場合、直上の段が邪魔になることはなく、スムーズに各段上に物品を置くことができる。
【００１３】
第二に、複数の段の各々に植木鉢（すなわち、植物）を置く場合、直上の段によって日光が遮られることがなく、各段上の植物に十分に日光を当てることができる。
【００１４】
また、収納ボックス及び引き出しを設けることにより、園芸用品や各種道具を収納することができ、必要なときに、すぐに取り出すことができる。
【考案を実施するための最良の形態】
【００１５】
（第一の実施形態）
図１は、本考案の第一の実施形態に係る収納スタンド１００の斜視図である。
【００１６】
本実施形態に係る収納スタンド１００は、一対の側壁１０１、１０２と、一対の側壁１０１、１０２の間に掛け渡された第一段１２１、第二段１２２及び第三段１２３と、を備えている。
【００１７】
一対の側壁１０１、１０２の各々は、鉄鋼製パイプ材からつくられており、後脚を形成している後脚部１０５と、後脚部１０５に対して斜め方向に延び、前脚を形成している前脚部１０６と、後脚部１０５と前脚部１０６とをそれらの上端において結合している結合部１０７と、後脚部１０５と前脚部１０６との間において水平方向に延びる三つの支持部１０８、１０９、１１０と、から構成されている。
【００１８】
三つの支持部１０８、１０９、１１０は上からこの順に配置されており、かつ、上下方向において等間隔に配置されている。
【００１９】
一対の側壁１０１、１０２の各支持部１０８の間には第一段１２１が水平に支持されている。また、一対の側壁１０１、１０２の各支持部１０９の間には第二段１２２が水平に支持されている。さらに、一対の側壁１０１、１０２の各支持部１１０の間には第三段１２３が水平に支持されている。
【００２０】
さらに、第一段１２１、第二段１２２及び第三段１２３は、上方から見たときに、相互に重なり合わないように配置されている。
【００２１】
本実施形態に係る収納スタンド１００においては、第一段１２１、第二段１２２及び第三段１２３の各段の上に植木鉢その他の各種物品を置くことができる。
【００２２】
なお、第一段１２１、第二段１２２及び第三段１２３を構成する部材としては任意のものを選択することができる。
【００２３】
例えば、図１に示すように、第一段１２１、第二段１２２及び第三段１２３はメッシュ状の部材から構成してもよく、あるいは、鋼板のような板材を用いることもできる。
【００２４】
本実施形態に係る収納スタンド１００によれば、次のような効果を得ることができる。
【００２５】
第一に、第一段１２１、第二段１２２及び第三段１２３の各段上に植木鉢その他の物品を置く場合、直上の段が邪魔になることはなく、スムーズに各段上に物品を置くことができる。例えば、第二段１２２上に植木鉢を置く場合、第二段１２２の直上の段である第一段１２１が邪魔になることはなく、スムーズに第二段１２２上に植木鉢を置くことができる。
【００２６】
第二に、第一段１２１、第二段１２２及び第三段１２３の各々に植木鉢（すなわち、植物）を置く場合、直上の段によって日光が遮られることがなく、各段上の植物に十分に日光を当てることができる。例えば、第二段１２２上に植木鉢を置く場合、第二段１２２の直上の段である第一段１２１によって日光が遮られることがなく、第二段１２２上に置かれた植木鉢にも十分に日光が当たることになる。
【００２７】
なお、本実施形態においては、段の数を３個としたが、段の数は３個に限定されるものではなく、２以上の任意の数を選択することが可能である。
【００２８】
さらに、本実施形態においては、３つの段１２１、１２２、１２３の相互間の間隔は等しいものとしたが、必ずしもそのようにする必要はない。３つの段１２１、１２２、１２３の相互間の間隔がそれぞれ異なるものであってもよい。
【００２９】
また、本実施形態においては、第一段１２１、第二段１２２及び第三段１２３は、上方から見たときに、相互に重なり合わないように配置されているものとしたが、第一段１２１、第二段１２２及び第三段１２３は、上方から見たときに、相互に重なり合っている部分を有していてもよい。すなわち、第一段１２１、第二段１２２及び第三段１２３は、上方から見たときに、その全領域が相互に重なり合わないように配置されていることは必ずしも必要ではなく、相互に重なり合わない領域を有していれば、一部の領域が相互に重なり合うことを禁止するものではない。
【００３０】
（第二の実施形態）
図２は、本考案の第二の実施形態に係る収納スタンド２００の斜視図である。
【００３１】
第二の実施形態に係る収納スタンド２００は、第一の実施形態に係る収納スタンド１００と比較して、収納ボックス２１０及び収納引き出し２１１を有している点が異なり、この点以外については、第一の実施形態に係る収納スタンド１００と同一の構造を有している。このため、第一の実施形態に係る収納スタンド１００の構成要素と共通の構成要素については、図１に示した参照符号と同一の参照符号を用いて示すものとする。
【００３２】
本実施形態に係る収納スタンド２００においては、最下段の第三段１２３の下方に、前方が開口している直方体状の収納ボックス２１０が配置されている。収納ボックス２１０は後脚部１０５及び前脚部１０６の第三段１２３よりも下方の部分に溶接その他の手段により固定されている。
【００３３】
この収納ボックス２１０の内部には収納引き出し２１１が配置されている。収納引き出し２１１は、収納ボックス２１０の前方の開口を介して、収納ボックス２１０の内部から外部へ、あるいは、外部から内部へ摺動可能に構成されている。すなわち、収納引き出し２１１は収納ボックス２１０に対して引き出しとして機能する。
【００３４】
本実施形態に係る収納スタンド２００によれば、収納ボックス２１０及び収納引き出し２１１が設けられているため、園芸用品や各種道具を収納引き出し２１１内に収納することができ、必要なときに、すぐに取り出すことができる。
【００３５】
なお、本実施形態に係る収納スタンド２００においては、収納ボックス２１０は前方が開口しているものとして構成されているが、前方及び底面がともに開口しているものとして構成することも可能である。この場合には、収納引き出し２１１が収納ボックス２１０から落下しないように、収納引き出し２１１が収納ボックス２１０に対して支持されるような構造とする。例えば、収納ボックス２１０の側壁の内面に、収納スタンド２００の前後方向に延びるレール状の凸部を設け、さらに、収納引き出し２１１の側壁の外面に、その凸部に係合するレール状の凹部を設ける。このような構造により、凸部は常に凹部に係合することになり、収納引き出し２１１が収納ボックス２１０から落下することを防止することができる。
【図面の簡単な説明】
【００３６】
【図１】本考案の第一の実施形態に係る収納スタンドの斜視図である。
【図２】本考案の第二の実施形態に係る収納スタンドの斜視図である。
【符号の説明】
【００３７】
１００  第一の実施形態に係る収納スタンド
１０１、１０２  側壁
１０５  後脚部
１０６  前脚部
１０７  結合部
１０８、１０９、１１０  支持部
１２１  第一段
１２２  第二段
１２３  第三段
２００  第二の実施形態に係る収納スタンド
２１０  収納ボックス
２１１  収納引き出し
【図１】
0003116242.tif 000003
【図２】
0003116242.tif 000004